【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
ネットワーク上で動作する場所特定及び追跡システムであり、該システムは所定のエリア内の無線デバイスの場所を決定するものであり、
該システムが、
それぞれのネットワークデバイスがネットワークと結合しており、無線デバイスから受信する任意の信号の信号強度を決定する、エリア内に位置する複数のネットワークデバイスと、
無線デバイスへとアクセス可能な場所とアクセス可能でない場所を含む、エリアのデジタルモデルを作成するための手段と、
それぞれのネットワークデバイスについての信号強度モデルを作成するためのデジタルモデルを使用するための手段と、
ネットワークを介してネットワークデバイスからの信号強度を受信し、そこからの信号強度が受信されるそれぞれのネットワークデバイスについて、受信された信号強度とそのネットワークデバイスのための信号強度モデルとを比較し、その比較に基づいてその場所を決定する、場所特定及び追跡モジュールとを含む、
ネットワーク上で動作する場所特定及び追跡システム。
【請求項２】
デジタルモデルを作成するための手段が、無線デバイスへとアクセス可能なロケールのセットを作成するための手段を含む、
請求項１記載のシステム。
【請求項３】
信号強度モデルを作成するための手段が、無線デバイスがそれぞれのロケールの中にあるときにネットワークデバイスが受信する信号強度のモデルを作成するための手段を含む、
請求項２記載のシステム。
【請求項４】
場所特定及び追跡モジュールによって経時的に決定される無線デバイスの逐次的な場所を保存するための手段と、
保存された場所と共に、ネットワークデバイスからの無線デバイスの現在の場所を決定するための場所特定及び追跡モジュールにより受信される信号強度を使用するための手段とを含む、
請求項２記載のシステム。
【請求項５】
信号強度モデルを作成するための手段が、無線デバイスがそのエリアを移動する際に無線デバイスからのネットワークデバイスにより受信される信号の信号強度を測定する手段を含む、
請求項1記載のシステム。
【請求項６】
信号強度モデルを作成するための手段が、無線デバイスがそのエリアを移動する際に無線デバイスから受信されるであろう擬似信号強度を生成するための手段を含む、
請求項1記載のシステム。
【請求項７】
信号強度モデルを作成するための手段が、無線デバイスがそのエリアを移動する際に無線デバイスからの擬似ネットワークデバイスにより受信されるであろう擬似信号強度を生成するための手段を含む、
請求項６記載のシステム。
【請求項８】
エリアのデジタルモデルを作成するための手段が、永続的な障害物を識別するための手段を含む、
請求項1記載のシステム。
【請求項９】
エリア内のそれぞれのネットワークデバイスの配置を決定するために、エリアのデジタルモデルを使用するための手段をさらに含む、
請求項１記載のシステム。
【請求項１０】
エリアのデジタルモデルを作成するための手段が、
無線デバイスへとアクセス可能なロケールのセットを作成するための手段と、
エリア内のそれぞれのネットワークデバイスの配置を決定するためにエリアのデジタルモデルを使用するための手段とを含み、
ロケール内のネットワークデバイスの配置を決定する、
請求項９記載のシステム。
【請求項１１】
その内部に配置される複数のネットワークデバイスを有する所定のエリア内の無線デバイスの場所を決定するためのネットワーク上で動作可能な方法であり、それぞれのネットワークデバイスはネットワークに結合しており、無線デバイスから受信される任意の信号の信号強度を決定するものであり、
該方法が、
(a) 無線デバイスへとアクセス可能な場所及び可能でない場所を含む、エリアのデジタルモデルを作成する工程と、
(b) それぞれのネットワークデバイスについて信号強度モデルを作成するためのデジタルモデルを使用する工程と、
(c) ネットワークを介してネットワークデバイスから信号強度を受信する工程と、そこから信号強度が受信されるそれぞれのネットワークデバイスについて、受信された信号強度とそのネットワークデバイスについての信号強度モデルとを比較する工程と、
(d) 工程（c）の比較に基づいて、場所を決定する工程と、
を含む方法。
【請求項１２】
工程（a）が無線デバイスへとアクセス可能なロケールのセットを作成する工程を含む、
請求項１１記載の方法。
【請求項１３】
工程（a）が、無線デバイスがそれぞれのロケールの中にあるときにネットワークデバイスが受信する信号強度のモデルを作成する工程をさらに含む、
請求項１２記載の方法。
【請求項１４】
(e) 工程（d）において経時的に決定される無線デバイスの逐次的な場所を記憶する工程と、
(f) 工程（e）において保存された場所と共に、無線デバイスの現在の場所を決定するために工程（c）においてネットワークデバイスから受信された信号強度を使用する工程とを含む、
請求項１２記載の方法。
【請求項１５】
工程（b）が、無線デバイスがそのエリアを移動する際に無線デバイスからネットワークデバイスにより受信される信号の信号強度を測定する工程を含む、
請求項１１記載の方法。
【請求項１６】
工程（b）が、無線デバイスがそのエリアを移動する際に無線デバイスから受信されるであろう擬似信号強度を生成する工程を含む、
請求項１１記載の方法。
【請求項１７】
工程（b）が、無線デバイスがそのエリアを移動する際に無線デバイスからの擬似ネットワークデバイスにより受信されるであろう擬似信号強度を生成する工程を含む、
請求項１６記載の方法。
【請求項１８】
工程（a）が、永続的な障害物を識別するための手段を含む、
請求項１１記載の方法。
【請求項１９】
(e) エリア内のそれぞれのネットワークデバイスの配置を決定するために、エリアのデジタルモデルを使用する工程を含む、
請求項１１記載の方法。
【請求項２０】
工程（a）が、無線デバイスへとアクセス可能なロケールのセットを作成する工程を含み、工程（e）が、ロケール内のネットワークデバイスの配置を決定するためにエリアのデジタルモデルを使用する工程を含む、
請求項１９記載の方法。
【請求項２１】
その内部に配置される複数のネットワークデバイスを有する所定のエリア内の無線デバイスの場所を決定するためのネットワーク上で動作可能なコンピュータプログラム製品であり、それぞれのネットワークデバイスはネットワークに結合しており、無線デバイスから受信される任意の信号の信号強度を決定するものであり、
該コンピュータプログラム製品は、コンピュータ可読プログラムコードを有する計算使用可能媒体を含み、
無線デバイスへとアクセス可能な場所及び可能でない場所を含む、エリアのデジタルモデルを作成するためのプログラムコードと、
それぞれのネットワークデバイスについて信号強度モデルを作成するためのデジタルモデルを使用するためのプログラムコードと、
ネットワークを介してネットワークデバイスからの信号強度を受信し、そこから信号強度が受信されるそれぞれのネットワークデバイスについて、受信された信号強度と信号強度モデルとを比較するためのプログラムコードと、
その比較に基づいて場所を決定するためのプログラムコードとを含む、
コンピュータプログラム製品。
【請求項２２】
エリアのデジタルモデルを作成するためのプログラムコードが、無線デバイスへとアクセス可能なロケールのセットを作成するためのプログラムコードを含む、
請求項２１記載のコンピュータプログラム製品。
【請求項２３】
エリアのデジタルモデルを作成するためのプログラムコードが、無線デバイスがそれぞれのロケールの中にあるときにネットワークデバイスが受信する信号強度のモデルを作成するためのプログラムコードをさらに含む、
請求項２２記載のコンピュータプログラム製品。
【請求項２４】
場所を決定するためのプログラムコードによって経時的に決定される無線デバイスの逐次的な場所を保存するためのプログラムコードと、
逐次的な場所を保存するためのプログラムコードによって保存された場所と共に、無線デバイスの現在の場所を決定するためにネットワークデバイスから信号強度を受信するためのプログラムコードによってネットワークデバイスから受信される信号強度を使用するためのプログラムコードとを含む、
請求項２２記載のコンピュータプログラム製品。